(57)【要約】【課題】短靴およびブーツのいずれとしても使用でき、タイプ毎にデザインのバリエーションを豊富にすると共に、履き心地の良い靴を提供する。【解決手段】前端縁が他の箇所より高く形成された履き口１０と、履き口１０の前端縁から爪先側に向かって斜め下に傾斜する甲部１４とを含むアッパー本体１の両側部に、それぞれ甲部１４の上端部の側縁から爪先側に向かって斜めに延びる切り込み１０１，１０２が形成される。また、切り込み１０１，１０２を挟んで突起３０を有する取付具３ａ，３ｂ，３ｃ，３ｄが、突起３０をアッパー本体１の外側に向け、切り込み１０１，１０２の終端位置に高さを対応させて固定される。アッパー本体１には、少なくとも２つの取付具に対応する孔を有する複数種の甲被部材の中から選択された部材が、各孔に対応する取付具の突起３０を挿入する方法により装着される。【選択図】図２
2013226194.tif 000002
【特許請求の範囲】
【請求項１】
前端縁が他の箇所より高く形成された履き口と、この履き口の前端縁から爪先側に向かって斜め下に傾斜する甲部とを含むアッパー本体を備えた靴であって、
前記アッパー本体の両側部では、それぞれ前記甲部の上端部の側縁から爪先側に向かって斜めに延びる切り込みが形成されると共に、この切り込みより爪先側および切り込みと踵部との間に、それぞれ突起を有する取付具が、当該突起をアッパー本体の外側に向け、前記切り込みの終端位置に高さを対応させて固定され、
前記アッパー本体の表面には、少なくとも２つの取付具を含む範囲を被覆する複数種の甲被部材の中から選択された１または複数の甲被部材が前記取付具を介して着脱自由に装着され、
各甲被部材は、その装着対象範囲の取付具に対応する位置に前記突起を挿入可能な孔が形成されており、前記装着対象範囲の取付具の突起が当該取付具に対応する孔に挿入されることによってアッパー本体に装着される、靴。
【請求項２】
前記複数種の甲被部材には、アッパー本体の両側部および踵部を含む範囲に装着されるブーツ型の甲被部材が含まれており、
前記ブーツ型の甲被部材の下端部には、装着対象範囲に含まれる取付具のそれぞれに対応する孔が形成され、各孔にそれぞれ対応する取付具の突起が挿入されて当該甲被部材が前記アッパー本体の表面に装着されたとき、甲被部材の上端縁による履き口が形成される、請求項１に記載された靴。
【請求項３】
前記アッパー本体の踵部の表面には、その踵部の高さより長いベルトが踵部の高さ方向に沿って縫い合わせられ、その縫い合わせ箇所に前記取付具が固定されると共に、ベルトの縫い合わせられていない側の先端部に前記取付具の突起を挿入可能な孔が形成され、
前記ブーツ型の甲被部材の前記踵部に対応する箇所では、下端部に前記縫い合わせ箇所の取付具の突起を挿入可能な孔が形成されると共に、上端部に前記ベルトの先端部の孔に挿入可能な突起を有する取付具が固定されている、請求項２に記載された靴。
【請求項４】
前記ブーツ型の甲被部材は、両側縁にそれぞれ所定数の鳩目が配列された平坦形状の皮革であって、当該甲被部材がアッパー本体に装着されたとき、前記甲部の面上に前記両側縁の鳩目の配列が当該甲部の傾斜に沿って並ぶ状態となる、請求項２または３に記載された靴。
【発明の詳細な説明】
【技術分野】
【０００１】
本発明は、別体の甲被部材を着脱自由に装着することが可能なアッパー本体を有する靴に関する。
【背景技術】
【０００２】
従前より、１つの靴を様々なデザインに変化させたり、損傷した部位を容易に取り換えることを目的として、アッパー本体に別体の甲被部材を着脱自由に装着する、というアイデアがある。
【０００３】
たとえば、特許文献１には、部位毎に製作されたパーツ（つま先部カバー、甲部カバー、かかと部カバーなど）がスナップフィット式の留め金具を介して靴本体に装着された構成の靴が開示されている。
また特許文献２には、短靴部の腰皮部に筒状のレッグ部を嵌め込み、両者を連結ベルトにより連結することにより、短靴としてもブーツとしても利用することが可能な靴が開示されている。
【先行技術文献】
【特許文献】
【０００４】
【特許文献１】特開２００４−７３７９２号公報
【特許文献２】実用新案登録第３０１６７７８号公報
【発明の概要】
【発明が解決しようとする課題】
【０００５】
特許文献１に記載の靴では、パーツを取り換えることによってデザインを様々に変化させることが可能であるが、短靴としての使用に留められており、ブーツ用のパーツを取り付けるための工夫は何も示されていない。
また靴は、デザインのみでなく、履き易さを確保する必要があるが、特許文献１に記載の靴は、履き口が狭い上に甲部や踵部にパーツが取り付けられるため、足の出し入れが困難であるように思われる。また、スナップフィット方式の装着では、足を出し入れする際に履き口付近が引っ張られると、留め金具の係合が外れる可能性もある。
【０００６】
特許文献２に記載された発明では、短靴をブーツに変更することしか想定しておらず、デザインのバリエーションが乏しい。また、この考案では、短靴の底部にヒールが設けられていることを前提として、ヒールの手前の窪み部に連結ベルトを回す方法によりレッグ部を固定しているが、ヒールがない短靴にこの連結方法を採用するのは困難である。
【０００７】
本発明は、上記の問題に着目してなされたもので、短靴としてもブーツとしても使用することができると共に、いずれのタイプについても、デザインのバリエーションを豊富にすることを第１の課題とする。また、甲被部材の着脱が容易で履き心地が良く、装着された部材が外れる心配もない利便性の高い靴を提供することを第２の課題とする。
【課題を解決するための手段】
【０００８】
本発明による靴は、前端縁が他の箇所より高く形成された履き口と、この履き口の前端縁から爪先側に向かって斜め下に傾斜する甲部とを含むアッパー本体を備える。このアッパー本体の両側部では、それぞれ甲部の上端部の側縁から爪先側に向かって斜めに延びる切り込みが形成されると共に、この切り込みより爪先側および切り込みと踵部との間に、それぞれ突起を有する取付具が、当該突起をアッパー本体の外側に向け、切り込みの終端位置に高さを対応させて固定される。
【０００９】
さらに、上記のアッパー本体の表面には、このアッパー本体の少なくとも２つの取付具を含む範囲を被覆する複数種の甲被部材の中から選択された１または複数の甲被部材が前記取付具を介して着脱自由に装着される。各甲被部材は、その装着対象範囲の取付具に対応する位置に前記突起を挿入可能な孔が形成されており、装着対象範囲の取付具の突起が当該取付具に対応する孔に挿入されることによってアッパー本体に装着される。
【００１０】
上記構成の靴では、前面の甲部が斜め上に傾斜した形状になるので、履き口が狭くなる。しかし、甲部の上端部の両側縁から爪先側に向かって斜めに延びる一対の切り込みによって、甲部を変形させることができるので、履き口を広げて容易に足を出し入れすることができる。靴を履いて歩く際にも、甲部が足の動きに追随して変形するので、使用者は、窮屈感を感じることなく楽に歩行することができる。また、切り込みの入った箇所をまたぐように甲被部材を装着すれば、その甲被部材により甲部を押圧して甲部が大きく変形するのを防ぐことができ、靴が脱げるおそれがなくなる。
【００１１】
アッパー本体の両側部には、それぞれ切り込みを挟んで少なくとも２つの取付具が設けられるので、これらの取付具の分布に対応する孔を形成することを条件に、大きさや形状が異なる様々な甲被部材を設計してアッパー本体に取り付けることによって、靴のデザインのバリエーションを豊富にすることができる。たとえば、短靴として使用する場合には、一対の装飾用の甲被部材の一方を外側部に装着し、他方を内側部に装着することができる。または、ベルト状の甲被部材を甲部を横切るように装着することにより、ベルト付きの靴に変化させることができる。さらに、アッパー本体よりも背が高く、両側部および踵部を含む範囲に対応する幅を有する甲被部材を装着することによって、ブーツタイプの靴に変形することもできる。
【００１２】
いずれの甲被部材でも、装着対象範囲内の取付具の突起を甲被部材の対応する孔に挿入したり、挿入された突起を孔から外すことによって、アッパー本体への装着や取り外しを容易に行うことができる。一方で、甲被部材が引っ張られても突起が孔から抜けることがないように、孔の大きさを調整しておけば、脱ぎ履きや歩行の際に甲被部材が外れるのを防ぐことができる。
【００１３】
また、ベルト状の甲被部材を甲部を横切るように装着したり、アッパー本体に装着された甲被部材の両側部を靴紐などで結ぶ場合には、アッパー本体の甲部の傾斜部分を舌革として機能させることができる。
【００１４】
本発明の一実施形態では、アッパー本体の両側部および踵部を含む範囲に装着されるブーツ型の甲被部材が含まれる。このブーツ型の甲被部材の下端部には、装着対象範囲に含まれる取付具のそれぞれに対応する孔が形成される。各孔にそれぞれ対応する取付具の突起が挿入されて甲被部材がアッパー部の表面に装着されたとき、甲被部材の上端縁による履き口が形成される。
【００１５】
上記構成によれば、ブーツ型の甲被部材は、アッパー本体の両側部に対し、それぞれ下端縁の複数箇所で止着されるので、甲被部材を安定して支持することができる。
【００１６】
さらに、上記の実施形態の下位概念に相当する靴では、アッパー本体の踵部の表面に、その踵部の高さより長いベルトが踵部の高さ方向に沿って縫い合わせられ、その縫い合わせ箇所に取付具が固定されると共に、ベルトの縫い合わせられていない側の先端部に取付具の突起を挿入可能な孔が形成される。また、ブーツ型の甲被部材の踵部に対応する箇所では、下端部に縫い合わせ箇所の取付具の突起を挿入可能な孔が形成されると共に、上端部にベルトの先端部の孔に挿入可能な突起を有する取付具が固定される。
【００１７】
上記の構成によれば、ブーツ型の甲被部材を装着する場合には、アッパー本体の両側部に配置された取付具のほか、踵部のベルトの装着箇所の取付具によっても、甲被部材が支持される。さらに、踵部のベルトの先端部を甲被部材の外周面に回して、その上部の取付具の突起をベルト側の孔に挿入することにより、甲被部材の踵側における支持をより安定させることができる。
一方、踵部を被覆しないタイプの甲被部材が装着される場合には、上記のベルトの先端の孔を、アッパー本体とベルトとの縫い合わせ箇所に設けられた取付具に固定することにより、ベルトが歩行の妨げになるのを防ぐことができる。また、短靴、ブーツのいずれの使用においても、踵部のベルトが１つのアクセントとなって、靴のデザイン性を高めることができる。
【００１８】
さらに、他の実施形態による靴では、両側縁にそれぞれ所定数の鳩目が配列された平坦形状の皮革をブーツ型の甲被部材とする。この甲被部材は、アッパー本体に装着されると、甲部の面上に両側縁の鳩目の配列が当該甲部の傾斜に沿って並ぶ状態となるように設計される。
このようにすれば、各鳩目に靴紐を通して結ぶことにより、傾斜部が舌革として機能し、編み上げ靴として使用することが可能になる。
【発明の効果】
【００１９】
本発明の靴は、短靴タイプおよびブーツタイプのいずれとしても使用可能であって、いずれのタイプでもデザインのバリエーションを豊富にすることができる。また、両側部の切り込みによって甲部が変形するので、足の出し入れが容易になり、窮屈感を防ぐことができる。また、靴が脱げたり、装着された甲被部材が外れたりするのを防ぐ工夫も施されているので、履き心地が良く、利便性の高い靴を提供することが可能になる。
【図面の簡単な説明】
【００２０】
【図１】本発明が適用された靴の外観を示す斜視図である。
【図２】上記靴の上面図である。
【図３】上記靴を、斜め後方に視点をおいて見た状態を示す斜視図である。
【図４】３種類の甲被部材の構成を示す正面図である。
【図５】図４の甲被部材４Ｂの装着により形成されたブーツタイプの靴を示す斜視図および背面図である。
【図６】図４の甲被部材４Ａの装着により形成されたブーツタイプの靴を示す斜視図である。
【図７】図４の甲被部材４Ｃを２つ装着することにより形成されたクロスベルト式の短靴を示す斜視図である。
【図８】他の短靴用の甲被部材の装着により形成された紐靴タイプの短靴を示す斜視図である。
【図９】他の短靴用の甲被部材の装着により形成されたベルトタイプの短靴を示す斜視図である。
【発明を実施するための形態】
【００２１】
図１〜３は、本発明が適用された靴１００の外観を示す。なお、図１〜３を含む各図面は、いずれも右足用の靴を示すものである。図示されていない左足用の靴は、右足用と対称の形状になるほかは、右足用と同様の構成である。
【００２２】
図１〜３に示す靴１００は、ソール部２の上にアッパー本体１が連結された短靴である。アッパー本体１は、一枚物の天然皮革を、踵の部分を縫い合わせて成形することにより製作されたものである。アッパー本体１の前端の爪先部１３は平坦に近いが、これに連なる甲部１４は後方に向かって迫り上がり、その迫り上がりの上端縁が他の箇所より高くなっている。この甲部１４の上端縁と、外側部１１，内側部１２，踵部１５の各上端縁とによって履き口１０が形成される。
【００２３】
アッパー本体１の両側部１１，１２には、それぞれ甲部１４の上端の突出部分の側縁１４１，１４２に連なる箇所から爪先側に向かって斜めに延びる切り込み１０１，１０２が形成されている。各切り込み１０１，１０２の終端位置は、ユーザが靴１００に足を入れたときに、その足甲より上方になる高さに設定されている。
【００２４】
アッパー本体１の踵部１５の表面には、所定幅のベルト１６がその長さ方向を踵部１５の高さ方向に合わせて縫い合わせられている。この実施例では、デザイン性を考慮して、アッパー本体１の革とは異なる目立つ色彩の色（白や黄色など）の糸を用いて、大きめのステッチで縫い合わせているが、縫い合わせの方法はこれに限らず、たとえば革と同色の糸により目立たぬように縫い合わせてもよい。
【００２５】
アッパー本体１には、各切り込み１０１，１０２の爪先側の近傍位置と、切り込み１０１，１０２と踵部１５との中間の位置と、踵部１５とベルト１６との縫い合わせ箇所の計５箇所にそれぞれ突起３０を有する取付具３が、突起３０をアッパー本体１の表面に出した状態で固定される。各取付具３は、ユーザの足甲の上方のほぼ一定の高さ（この実施例では、切り込み１０１，１０２の終端位置に対応する高さ）に配置される。
図面では、個々の取付具３を、３ａ，３ｂ，３ｃ，３ｄ，３ｅの符号により区別している。以下の説明でも、取付具３の場所を特定して説明する必要がある場合には、同様に符号３ａ〜３ｅを使用する。
【００２６】
この実施例の取付具３は、「ギボシ」と呼ばれる取付金具であって、アッパー本体１の対応箇所に形成された孔（図示せず。）に挿入され、内面側のナット（図示せず。）により固定される。ただし、強度が確保できるのであれば、金具に限らず、プラスティック製やセラミック製の取付具を使用してもよい。
また取付具の固定方法もナットによる固定に限らない。たとえば、ボタン穴を有する構成の取付具を糸により縫いつけて固定してもよい。
【００２７】
踵部１５に縫い合わせられたベルト１６の先端部には、取付具３の突起３０を挿入可能な円形孔（図示せず。）が形成されている。以下に述べるように、この実施例のアッパー本体１には様々な形状の甲被部材が装着されるが、踵部１５が甲被部材に覆われない場合には、図３に示すように、ベルト１６を外側に曲げて、先端の円形孔に縫い合わせ箇所の取付具３ｅの突起３０を挿入することにより、ベルト１６の曲がり状態が維持される。こうすることによって、ベルト１６が歩行の妨げになるのを防ぐと共に、ベルト１６を踵部１５のポイントとして、靴のデザイン性を高めることができる。
【００２８】
なお、抜け止めのために、ベルト１６の円形孔は取付具３ｅの突起３０よりやや小さく設定されているが、円形孔にベルト１６の長さ方向に沿って延びるスリット１７が連続形成され、突起３０の挿入や取り外しの際にこのスリット１７が広がるので、挿入や取り外しを容易に行うことができる。
【００２９】
図４（Ａ）（Ｂ）（Ｃ）は、上記のアッパー本体１に装着される甲被部材４Ａ，４Ｂ，４Ｃを示す。これらの甲被部材４Ａ，４Ｂ，４Ｃは、いずれも一枚物の皮革から切り出されたものである。
【００３０】
甲被部材４Ａ，４Ｂは、ブーツタイプの靴を形成するための部材であって、アッパー本体１の外側部１１から踵部１５を介して内側部１２に至るまでの範囲を被覆するのに必要な幅を備える。
【００３１】
甲被部材４Ａの下端部には、その端縁に沿って、アッパー本体１の各取付具３（３ａ〜３ｅ）に係合させるための５つの円形孔４０（４０ａ〜４０ｅ）が形成されている。具体的には、甲被部材４Ａの右下コーナーに、アッパー本体１の外側部１１の前方の取付具３ａに対応する円形孔４０ａが設けられ、甲被部材４Ａの左下コーナーに、内側部１２の前方の取付具３ｂに対応する円形孔４０ｂが設けられ、甲被部材４Ａの中央の下端位置に、踵部１５の取付具３ｅに対応する円形孔４０ｅが設けられる。また円形孔４０ａと４０ｅとの間には、取付具３ｃに対応する円形孔４０ｃが形成され、円形孔４０ｂと４０ｅとの間には、取付具３ｄに対応する円形孔４０ｄが形成される。各円形孔４０ａ〜４０ｅと甲被部材４Ａの下端縁との距離はほぼ一定に設定される。
【００３２】
ベルト１６の円形孔と同様に、各円形孔４０ａ〜４０ｅの径は取付具３ａ〜３ｅの突起３０よりも小さく設定されるが、中央の円形孔４０ｅには上側に、右手側の円形孔４０ａ，４０ｃには左側に、左手側の円形孔４０ｂ，４０ｄには右側に、それぞれ所定長さのスリット４１が連ねられている。図中では、各円形孔４０ａ〜４０ｅに対するスリット４１を符号４１ａ〜４１ｅとして区別している。
上記構成の円形孔４０によれば、取付片３に対する着脱が容易であり、また装着時に外れるのを防ぐことができる。
【００３３】
甲被部材４Ｂは、甲被部材４Ａより背が低く、端縁のライン形状も甲被部材４Ａとは異なるが、下端部には、甲被部材４Ａと同様の円形孔４０ａ〜４０ｅおよびスリット４１ａ〜４１ｅが形成されている。
さらに甲被部材４０Ａ，４０Ｂの上端の中央部（円形孔４０ｅの上方）には、アッパー本体１に取り付けられているのと同種類の取付具３（３Ａ，３Ｂにより示す。）が固定されている。
【００３４】
甲被部材４０Ａ，４０Ｂの幅は、下端部から所定の高さまではほぼ一定であるが、それより上の範囲では、上方に向かうにつれて幅狭になる。甲被部材４０Ａでは、この幅が変化する範囲の両端縁が緩やかなＳ字状カーブに設定されると共に、各カーブに沿って６個ずつ鳩目４２が配置される。甲被部材Ｂでは、幅が変化する範囲の両端縁が直線状に傾斜すると共に、その傾斜に沿って３個ずつ鳩目４２が配置される。甲被部材４Ｂの鳩目４２の間隔は甲被部材４Ａより広く設定される。また、甲被部材Ｂの鳩目４２には、縁取り金具４３が取り付けらる。
【００３５】
３番目の甲被部材４Ｃは、甲被部材４Ａ，４Ｂの幅より短いベルト状の部材であって、両端部に、それぞれ取付具３に係合可能な円形孔４５が長さ方向に沿って４個ずつ配列されている。また、左手側の各円形孔４５には右側に、右手側の各円形孔４５には左側に、それぞれスリット４６が連続形成される。
【００３６】
図５（１）（２）は、図４（Ｂ）に示した甲被部材４Ｂがアッパー本体１に取り付けられた靴１００を示す。
甲被部材４Ｂは、下端部の５つの円形孔４０ａ，４０ｂ，４０ｃ，４０ｄ，４０ｅに、アッパー本体１の対応する取付具３ａ，３ｂ，３ｃ，３ｄ，３ｅの突起３０を挿入することにより、アッパー本体１に固定される。また、アッパー本体１の踵部１５のベルト１６が引き出されて、その先端部の円形孔が甲被部材４Ｂの上端部の取付具３Ｂに取り付けられる。
【００３７】
固定後の甲被部材４Ｂの両側部は、切り込み１０１，１０２より前方の甲部１４の面の上に位置すると共に、鳩目４２の配列およびこれに対応する辺が甲部１４の傾斜に沿った状態になる。また甲被部材４Ｂの上端縁の高さは甲部１４の上端縁と同程度になる。よって、各鳩目４３に靴紐５が通されることにより、編み上げタイプのショートブーツが形成される。
【００３８】
上記のとおり、甲被部材４Ｂは、下端部の５箇所での固定により、アッパー本体１の外側部１１から踵部１５を介して内側部１２に至る範囲に安定して装着される。さらにベルト１６を介して踵側における甲被部材４Ｂの姿勢を安定させると共に、デザイン性を高めることができる。
【００３９】
図６は、図５（Ａ）に示した甲被部材４Ａがアッパー本体１に取り付けられた状態の靴１００を示す。
甲被部材４Ａも、甲被部材４Ｂと同様に、下端部の各円形孔４０ａ，４０ｂ，４０ｃ，４０ｄ，４０ｅをアッパー本体１の対応する取付具３ａ，３ｂ，３ｃ，３ｄ，３ｅに固定すると共に、踵部１５のベルト１６を甲被部材４Ａの取付具３Ａに固定する方法により、アッパー本体１に装着される。固定後の甲被部材４Ａの両側部は切り込み１０１，１０２より前方の甲部１４の面上に位置づけられ、鳩目４２の配列およびこれに対応する辺が甲部１４の傾斜に沿う状態となる。鳩目４２には靴紐５が通される。固定後の甲被部材４Ａの上端縁は甲部１４の上端縁よりかなり高くなるので、形成されるブーツはミドルブーツとなる。
【００４０】
上記のとおり、甲被部材４Ａ，４Ｂをアッパー本体１に装着することにより、編み上げタイプのミドルブーツやショートブーツを形成することができる。いずれのタイプでも、装着された甲被部材４Ａ，４Ｂの上端縁と甲部１４の上端縁とによる履き口１０Ａ，１０Ｂから足を出し入れすることになるが、甲部１４とその後方の皮革との間にアッパー本体の下部にまで至る深さの切り込み１０１，１０２が形成されているので、足の出し入れの際には甲部１４が前方に変位して履き口１０Ａ，１０Ｂが広がり、脱ぎ履きを容易に行うことができる。また、甲被部材４Ａ，４Ｂの両側部が甲部１４の面上に位置づけられると共に、鳩目４２の配列が甲部１４の傾斜に沿った状態となるので、甲部１４を舌革として靴紐５による連結を行うことができる。甲部１４は、歩行の際の足の動きにも追随して変形するので、足への負担が少なく、窮屈感を感じさせない靴を提供することができる。
【００４１】
一方、甲部１４には、切り込み１０１，１０２よりも爪先側の取付具３ａ，３ｂを介して固定された甲被部材（４Ａまたは４Ｂ）による押圧力と靴紐５による締め付け力とがかかるので、歩行中に甲部１４が大きく変形して靴が脱げてしまったり、装着された甲被部材４Ａ，４Ｂが外れたりするのを防ぐことができる。また、切り込み１０１，１０２の終端位置の近傍の取付具３ａ，３ｂを介した固定によって、終端位置付近に対する押圧力が高められるので、切り込み１０１，１０２の損傷を防ぐことができる。
【００４２】
図７は、図４（Ｃ）に示した甲被部材４Ｃがアッパー本体１に取り付けられた状態の靴１００を示す。
この例では、甲被部材４Ｃを２個使用している。一方の甲被部材４Ｃは、一端部が外側部１１の前方の取付具３ａに固定され、他端部が内側部１２の後方の取付具３ｄに固定される。他方の甲被部材４Ｃは、一端部が内側部１２の前方の取付具３ｂに固定され、他端部が外側部１１の後方の取付具３ｃに固定される。この固定により、２つの甲被部材４Ｃ，４Ｃが甲部１４の面上で交差する「クロスベルト」式の短靴が完成する。
【００４３】
なお、甲被部材４Ｃの取付に際しては、両端部の固定に支障がない範囲で、４個ずつ配置された円形孔４５の中の任意の孔を選択して、選択した円形孔４５に対応する取付具３の突起３０を挿入することができる。また、踵部１５のベルト１６は、図３に示したのと同様に外側に曲げられて、その先端部が踵部１５の取付具３ｅに固定される。
【００４４】
上記の方法により形成された短靴タイプの靴でも、甲部１４は、足の出し入れや歩行に応じて変形するが、甲被部材４Ｃ，４Ｃにより甲部１４が押圧されて甲部１４の大きな変形が規制される。よって、脱ぎ履きや歩行に支障をきたすことがなく、ユーザの足の負担も軽減することができる。また、図５，図６に示したブーツタイプの靴と同様に、取付具３ａ，３ｂを介した固定によって、切り込み１０１，１０２の終端位置付近の押圧力が高められるので、切り込み１０１，１０２の損傷を防ぐことができる。
【００４５】
なお、上記の甲被部材４Ｃは、甲部１４を介して両側部１１，１２の後方の取付具３ｃ，３ｄ間を連結することが可能な長さに形成されているので、単独の甲被部材４Ｃの両端部をそれぞれ取付具３ｃ，３ｄに固定することにより、１本のベルトが甲部１４の幅方向に沿って装着されたデザインの短靴を形成することもできる。
【００４６】
上記のとおり、３種類の甲被部材４Ａ，４Ｂ，４Ｃの構成やこれらの取付方法について詳細に説明したが、同様に、甲部１４を押圧する状態で少なくとも２つの取付具３を介して固定される構成を有する様々なデザインの甲被部材を製作することができる。さらに同じ型で色彩が異なる甲被部材を製作することもできる。
【００４７】
図８および図９は、短靴用の甲被部材が取り付けられた靴１００の他の例を示す。
図８の実施例では、対称形状の一対の甲被部材４Ｄ１，４Ｄ２を使用する。各甲被部材４Ｄ１，４Ｄ２の端縁は一箇所が山状に湾曲しており、その湾曲部分に連なって傾斜する一辺に沿って、３個の鳩目４２が形成されている。また、湾曲部分に対向する辺の両端の近傍に、それぞれ固定用の一対の円形孔（図示せず。）が形成されている。
【００４８】
一方の甲被部材４Ｄ１は、各円形孔を取付具３ａ，３ｃに固定することによりアッパー本体１の外側部１１に装着され、他方の甲被部材４Ｄ２は、各円形孔を取付具３ｂ，３ｄに固定することによりアッパー本体１の内側部１２に装着される。装着後の甲被部材４Ｄ１，４Ｄ２では、鳩目４２の配列が甲部１４の面上に位置する状態となる。各鳩目４２に靴紐５が通されることにより、紐靴タイプの短靴が完成する。
【００４９】
図９の実施例では、図８の部材４Ｄ１，４Ｄ２と同様の基本形状を有する一対の甲被部材４Ｅ１，４Ｅ２を使用する。甲被部材４Ｅ２では、湾曲部分に連なって傾斜する一辺にベルト４８が連続形成されており、甲被部材４Ｅ１の表面には、ベルト４８の固定用金具４９が取り付けられている。ベルト付きの甲被部材４Ｅ２は内側部１２に取付具３ｂ，３ｄを介して固定され、金具付きの甲被部材４Ｅ１は外側部１１に取付具３ａ，３ｃを介して固定される。これらの固定が完了した後にベルト４８を金具４９に連結することにより、ベルト付きの短靴が完成する。
【００５０】
このほか、短靴用の甲被部材として、アッパー本体１の両側部１１，１２および踵部１５を含む範囲に装着される構成の部材を製作することもできる。
【００５１】
ブーツ用の甲被部材も、先に例示した甲被部材４Ａ，４Ｂのような編み上げブーツ用の部材に限定されるものではない。たとえば、両端縁をファスナーで連結することにより筒状になる構成の甲被部材をアッパー本体１に装着すれば、ファスナー式のブーツを形成することができる。
【００５２】
上記の靴１００では、各種甲被部材を固定する機能を確保するために、アッパー本体１の両側部１１，１２にそれぞれ２個ずつ取付具３を設けたが、取付具３の数はこれに限定されるものではない。たとえば、上記実施例のアッパー本体１であれば、取付具３ｃ，３ｄと踵部１５との間に、もう１つずつ取付具３を設けても良く、さらに取付具３の数を増やしてもよい。ただし、徒に取付具３を増やすのではなく、デザイン性や装着の手間を配慮して取付具３の数や位置を決めるのが望ましい。
【００５３】
また、上記の靴１００や甲被部材は、すべて天然皮革により形成されているが、材料はこれに限らず、合成皮革や布の成型品であってもよい。また、ヒールタイプの靴にも上記の各実施例と同様の構成を適用することが可能である。
【符号の説明】
【００５４】
１００  靴
１    アッパー本体
１０，１０Ａ，１０Ｂ  履き口
１１  外側部
１２  内側部
１３  爪先部
１４  甲部
１５  踵部
１６  ベルト
３（３ａ，３ｂ，３ｃ，３ｄ，３ｅ）  取付具
３０  突起
４Ａ，４Ｂ，４Ｃ，４Ｄ１，４Ｄ２，４Ｅ１，４Ｅ２  甲被部材
４０（４０ａ，４０ｂ，４０ｃ，４０ｄ，４０ｅ）  円形孔
４２  鳩目
１０１，１０２  切り込み
１４１，１４２  甲部の側縁
【図１】
2013226194.tif 000003
【図２】
2013226194.tif 000004
【図３】
2013226194.tif 000005
【図４】
2013226194.tif 000006
【図５】
2013226194.tif 000007
【図６】
2013226194.tif 000008
【図７】
2013226194.tif 000009
【図８】
2013226194.tif 000010
【図９】
2013226194.tif 000011